(57)【特許請求の範囲】
【請求項１】
装置本体に設けられた表示手段と、前記表示手段への電力供給制御に関わるパワーセーブモードのＯＮ／ＯＦＦを選択するための選択手段と、前記装置本体に電源が供給されたときにパワーセーブモードがＯＮ選択されていた場合には前記表示手段を所定時間駆動させた後に駆動停止を行う制御手段と、を備えたことを特徴とする電子機器。
【請求項２】
前記パワーセーブモードがＯＮ選択されている場合に、リモートコントローラー又は本体操作部の操作時に、前記表示手段を所定時間駆動させた後に駆動停止を行う制御手段と、を備えたことを特徴とする請求項１記載の電子機器。
【請求項３】
前記表示手段を所定時間駆動させる際に、前記パワーセーブモードがＯＮ選択されていることを示す表示を行わせるように構成したことを特徴とする請求項１乃至請求項２記載の電子機器。
【発明の詳細な説明】
【０００１】
【産業上の利用分野】
この発明は、装置本体に表示手段を備える記録再生装置に関する。
【０００２】
【従来の技術】
例えば、ビデオカセットレコーダの本体には、現在時刻、テープ残量、受信チャンネル番号などを表示する蛍光表示管（ＦＬＤ）が備えられている。そして、近年の省電力化の要請により、蛍光表示管への電力供給制御に関わるパワーセーブモードのＯＮ／ＯＦＦを選択するための選択手段が備えられている。この選択手段は、例えば、スライドスイッチ、タクトスイッチ、或いはオンスクリーンディスプレイ機能（ＯＳＤ）を用いたモニター上の選択項目をリモートコントローラーで選択する手段等から成る。
【０００３】
パワーセーブモードがＯＮ選択された場合、電源ＯＦＦ状態（リモコン待ち受け状態）においては、前記蛍光表示管への電力供給が停止されることになる。そして、従来のビデオカセットレコーダは、図６に示すように、イニシャル時（電源プラグがコンセントに入れられたとき等）に、パワーセーブモードがＯＮか否かを判断するようにしている（ステップＳ３１）。パワーセーブモードＯＦＦ（ＮＯ）のときには、表示データ（例えば、時計データ等）をセットし（ステップＳ３２）、表示を行う（ステップＳ３３）。一方、パワーセーブモードＯＮ（ＹＥＳ）のときには、表示を停止する。すなわち、前記蛍光表示管への電力供給を停止する（ステップＳ３４）。
【０００４】
【発明が解決しようとする課題】
しかしながら、上記のごとく、パワーセーブモードがＯＮ選択されている状態で電源コンセントが入れられたときに表示を停止する処理を行うと、蛍光表示管には何も表示されないためにビデオカセットレコーダが故障しているとの勘違いをユーザーがしてしまうおそれがあった。
【０００５】
この発明は、上記の事情に鑑み、パワーセーブモードがＯＮ選択されたことによる非表示の不具合を防止することができる記録再生装置を提供することを目的とする。
【０００６】
【課題を解決するための手段】
この発明の電子機器は、上記問題を解決するために、装置本体に設けられた表示手段と、前記表示手段への電力供給制御に関わるパワーセーブモードのＯＮ／ＯＦＦを選択するための選択手段と、前記装置本体に電源が供給されたときにパワーセーブモードがＯＮ選択されていた場合には前記表示手段を所定時間駆動させた後に駆動停止を行う制御手段と、を備えたことを特徴とする。
【０００７】
上記の構成であれば、電源プラグがコンセントに入れられたとき、停電から復帰したとき、或いは、オールイニシャルクリア処理が実行されたとき等、マイクロコンピュータのイニシャル時には、パワーセーブモードがＯＮ選択されていたとしても表示手段は所定時間は表示動作を行うため、表示手段に何も表示されない場合の故障という勘違いを防止することができる。
【０００８】
また、この発明の電子機器は、パワーセーブモードがＯＮ選択されている場合に、リモートコントローラー又は本体操作部の操作時に、前記表示手段を所定時間駆動させた後に駆動停止を行う制御手段と、を備えたことを特徴とする。
【０００９】
上記の構成によれば、パワーセーブモードがＯＮ選択されているときには電源ＯＮ状態（機器動作状態）でも前記表示手段の駆動停止が行われる一方で、この非表示により例えば録画動作中であることを知らずにカセットテープ取出操作を行ったとき、前記表示手段にて例えば「録画中です」といった表示が所定時間行われることになり、操作ミス等を防止することができる。また、例えばリモートコントローラーを操作して録画実行させたときに、表示手段に何も表示されない場合には装置が故障しているとの勘違いをユーザーがしてしまうおそれがあるが、表示手段は所定時間は表示動作（受信チャンネル表示やカセットテープの有無等）を行うことになるため、上記のような勘違いをせず且つ上記表示に基づいて誤りなく録画操作が行えることになる。
【００１０】
前記表示手段を所定時間駆動させる際に、パワーセーブモードがＯＮであることを示す表示を行わせるように構成するのがよい。これにより、パワーセーブモードをＯＮ選択しているがゆえにこのような所定時間表示動作が行われていることをユーザーが認識できることになる。
【００１１】
【発明の実施の形態】
以下、この発明の実施形態を図１乃至図５に基づいて説明する。図１はこの実施形態のビデオカセットレコーダの概略構成を示したブロック図であり、図２乃至図４は処理内容を示したフローチャートである。
【００１２】
マイコン（マイクロコンピュータ）１は、ＣＰＵ、Ｉ／Ｏ回路、及びＲＯＭなどで構成されており、前記ＲＯＭに格納された各制御用の制御プログラム及びこれらプログラムを実行する前記ＣＰＵによって、システムコントローラ、サーボ、及びタイマとしての機能を実現する。
【００１３】
機構部２は、カセットテープ３を収容する収容機構部、テープ走行系、回転ヘッドシリンダー等の駆動系を有しており、各駆動系は各種モータ、センサー、スイッチ等を備えて構成される。また、機構部２の制御（位相制御、キャプスタンサーボ、テンションサーボ等）においては、マイコン１のサーボ機能が関与するようになっている。また、ローディングモータ（ドライバーＩＣを含む）４はテープローディング系を構成し、マイコン１によって制御される。
【００１４】
記録系５は、チューナー６から供給される映像・音声信号や外部入力の映像・音声信号を記録用の映像・音声信号に変換し、回転ヘッドシリンダーの磁気ヘッドに供給する。再生系はカセットテープから再生した映像・音声信号をＡＶモニタ８に供給する。前記チューナー６、不揮発性メモリ（例えば、ＥＥＰＲＯＭ）９、各種ＩＣ１０は、命令やデータ等を転送するＩＩＣバスによってマイコン１に接続されている。
【００１５】
ＯＳＤ（オンスクリーンディスプレイ）回路１２は、マイコン１から出力指示されたメッセージ文字情報を生成して再生系７の映像信号処理回路に与える。再生系７の映像信号処理回路において前記メッセージ文字情報が出力映像信号に組み込まれる。かかるＯＳＤ回路１２により、ビデオカセットレコーダの動作状況や操作ガイド画面がＡＶモニタ８に表示されることになる。
【００１６】
前述の操作ガイド画面としては、後述するＦＬＤ（蛍光表示管）１５や各種ＬＥＤ（発光ダイオード）１６への電力供給制御に関わるパワーセーブモードのＯＮ／ＯＦＦを選択させるためのものがあり、ユーザーはリモコン送信機１７を使ってパワーセーブモードのＯＮ／ＯＦＦ選択を行うことができる。パワーセーブモードのＯＮ／ＯＦＦ選択の情報は、マイコン内のＲＡＭ或いは非通電状態でも保持すべく不揮発性メモリ９に格納される。なお、パワーセーブモードのＯＮ／ＯＦＦ選択は、図示しないスライドスイッチやタクトスイッチによっても行える。スライドスイッチの場合は、スイッチ操作位置にてＯＮ／ＯＦＦの選択を判断できるが、タクトスイッチの場合には、スイッチ操作位置というものがないので、ＯＮ／ＯＦＦ選択の情報をマイコン内のＲＡＭ或いは不揮発性メモリ９に格納しておく。なお、マイコン内のＲＡＭはバックアップコンデンサーにより数時間程度のバックアップが可能である。
【００１７】
表示ドライバＩＣ１３は、マイコン１から出力された表示データに従ってＦＬＤ１５や各種ＬＥＤ１６の駆動を制御する回路である。また、この実施形態においては、表示ドライバＩＣ１３は、マイコン１の指令によってＦＬＤ１５や各種ＬＥＤ１６の表示停止（電力供給停止）を行うようになっている。
【００１８】
リモコン送信機１７は、当該ビデオカセットレコーダに指令を送出するための送信機である。このリモコン送信機１７に設けられた図示しないキーを操作すると、そのキーに対応した指令を意味する信号光（リモコン信号）が図示しない発光部から送出される。リモコン受光部１１は、前記信号光を受光し、これを電気信号に変換してマイコン１に与える。
【００１９】
マイコン１は、前記リモコン送信機１７などを用いたユーザーによる電源ＯＮ／ＯＦＦ処理やチャンネル選択処理などを行う。特に、この発明に係わる処理として、パワーセーブモードのＯＮ／ＯＦＦ選択に基づいたＦＬＤ１５や各種ＬＥＤ１６の点灯駆動制御、及び表示データの生成処理を行う。
【００２０】
図２は、イニシャル時の点灯駆動処理内容を示したフローチャートである。イニシャル時とは、電源プラグがコンセントに入れられたとき、停電から復帰したとき、或いは、ユーザー操作によってオールイニシャルクリア処理が実行されたとき等をいう。マイコン１は、まず、パワーセーブモードがＯＮ選択されているか否かを判断する（ステップＳ１）。パワーセーブモードＯＦＦ（ＮＯ）のときには、表示データ（例えば、時計データ等）をセットし（ステップＳ７）、表示を行う（ステップＳ８）。一方、パワーセーブモードＯＮ（ＹＥＳ）のときには、表示データ（例えば、時計データ及びパワーセーブモードＯＮであることを示す表示データ等）をセットし（ステップＳ２）、タイマーセット（この例では３秒）を行う（ステップＳ３）。そして、ＦＬＤ１５や各種ＬＥＤ１６に駆動電力を供給して表示を行い（ステップＳ４）、タイマーセットされた３秒が経過したかどうかを判断する（ステップＳ５）。３秒が経過したときには、表示停止（ＦＬＤ１５や各種ＬＥＤ１６への電力供給停止）を行う（ステップＳ６）。
【００２１】
図３は、電源プラグがコンセントに入れられた後の電源ＯＦＦ（リモコン待ち受け状態）または電源ＯＮ（機器動作状態）となっているときのリモコン操作に対応した表示駆動処理を示したフローチャートである。マイコン１は、リモコン操作がなされたか否かを判断し（ステップＳ１１）、リモコン操作がなされたときには、パワーセーブモードがＯＮ選択されているか否かを判断する（ステップＳ１２）。パワーセーブモードＯＦＦ（ＮＯ）のときには、表示データ（例えば、リモコンで録画操作がなされたときには、録画状態を示す表示データ等）をセットし（ステップＳ１８）、表示を行う（ステップＳ１９）。一方、パワーセーブモードＯＮ（ＹＥＳ）のときには、表示データ（例えば、リモコンで録画操作がなされたときには、録画状態を示す表示データ及びパワーセーブモードＯＮであることを示す表示データ等）をセットし（ステップＳ１３）、タイマーセット（この例では３秒）を行う（ステップＳ１４）。そして、表示を行い（ステップＳ１５）、タイマーセットされた３秒が経過したかどうかを判断する（ステップＳ１６）。３秒が経過したときには、表示停止（ＦＬＤ１５や各種ＬＥＤ１６への電力供給停止）を行う（ステップＳ１７）。
【００２２】
図４は、パワーセーブモードがＯＮ選択されていて録画動作状態において非表示のためにユーザーが誤って何らかの操作を行ったときの処理を示したフローチャートである。マイコン１は、リモコン送信機１７から操作指令が出されたか否かを判断し（ステップＳ２１）、操作指令が出されたときには、例えば「録画中です。もう一度続けて操作すれば希望動作を実行します。」の文字表示データをセットし（ステップＳ２２）、タイマーセット（この例では３秒）を行う（ステップＳ２３）。そして、表示を行い（ステップＳ２４）、タイマーセットされた３秒が経過したかどうかを判断する（ステップＳ２５）。３秒が経過したときには、表示停止（ＦＬＤ１５や各種ＬＥＤ１６への電力供給停止）を行う（ステップＳ２６）。
【００２３】
なお、パワーセーブモードのＯＮ選択による非表示は、表示手段における各表示部位の全非表示のみを意味するものではなく一部非表示も含むものである。また、この実施形態では、記録再生装置としてビデオカセットレコーダを例示したが、これに限らず、装置本体にＦＬＤ１５や各種ＬＥＤ１６などの表示手段を備える他の記録再生装置にも適用できる。また、マイコン１が表示ドライバＩＣ１３を制御することによって表示電源ＯＮ／ＯＦＦを行わせる処理に限るものではなく、図５に示すように、ＦＬＤ１５への電源供給線１８に個別電源スイッチ１９を設け、この個別電源スイッチ１９のＯＮ／ＯＦＦをマイコン１が制御するようにしてもよい。
【００２４】
【発明の効果】
以上説明したように、この発明によれば、蛍光表示管等の表示手段への電力供給制御に関わるパワーセーブモードがＯＮ選択されたことによる非表示の不具合を防止することができるという効果を奏する。
【図面の簡単な説明】
【図１】この発明の実施形態のビデオカセットレコーダを示すブロック図である。
【図２】この発明の実施形態の表示手段駆動／停止処理の一例を示したフローチャートである。
【図３】この発明の実施形態の表示手段駆動／停止処理の他の例を示したフローチャートである。
【図４】この発明の実施形態の表示手段駆動／停止処理の他の例を示したフローチャートである。
【図５】この発明の実施形態の個別電源スイッチによる表示手段の駆動／停止回路を示した説明図である。
【図６】従来の表示手段駆動／停止処理を示したフローチャートである。
【符号の説明】
１    マイコン（マイクロコンピュータ）
２    機構部
３    カセットテープ
５    記録系
６    チューナ
７    再生系
８    ＡＶモニタ
９    メモリ
１１  リモコン受光部
１２  ＯＳＤ回路
１３  表示ドライバＩＣ
１５  ＦＬＤ
１６  各種ＬＥＤ
１７  リモコン送信機
【図１】
0003574032.tif 000002
【図２】
0003574032.tif 000003
【図３】
0003574032.tif 000004
【図４】
0003574032.tif 000005
【図５】
0003574032.tif 000006
【図６】
0003574032.tif 000007